(57)【要約】  粉体化粧料を塗布するための化粧用ブラシであって、ブラシ部２の先端面２ａには、毛の密度が高い中心塗布面部２０と、該中心塗布面部２０の外側に周設されて中心塗布面部２０よりも毛の密度が低い周縁塗布面部２１とが設けられている。ブラシ部２は、長い毛３０と短い毛３１の混毛体からなる外側ブラシ部２３と、毛の長さが揃えられた内側ブラシ部２２とからなる内外二層構造とされ、外側ブラシ部２３の先端面が周縁塗布面部２１であり、内側ブラシ部２２の先端面が中心塗布面部２０である。
2015025873.tif 000002
【特許請求の範囲】
【請求項１】
粉体化粧料を塗布するための化粧用ブラシであって、
ブラシ部の先端面には、毛の密度が高い中心塗布面部と、該中心塗布面部の外側に周設されて中心塗布面部よりも毛の密度が低い周縁塗布面部とが設けられていることを特徴とする化粧用ブラシ。
【請求項２】
ブラシ部は、長さが異なる複数の毛を混合した混毛体からなる外側ブラシ部を備え、該外側ブラシ部の先端面から前記周縁塗布面部が構成されている請求項１記載の化粧用ブラシ。
【請求項３】
外側ブラシ部は、長さが異なる二種類の毛を混合した混毛体からなる請求項２記載の化粧用ブラシ。
【請求項４】
外側ブラシ部における長い毛の混合比率が５０％以下である請求項３記載の化粧用ブラシ。
【請求項５】
外側ブラシ部における長い毛と短い毛の長さの違いが２ｍｍ〜１０ｍｍである請求項３又は４記載の化粧用ブラシ。
【請求項６】
ブラシ部は、前記外側ブラシ部と毛の長さが揃えられた内側ブラシ部とからなる内外二層構造であり、内側ブラシ部の先端面から前記中心塗布面部が構成されている請求項２乃至５の何れかに記載の化粧用ブラシ。
【請求項７】
周縁塗布面部の毛の密度は中心塗布面部の毛の密度に対して０．５以下である請求項１記載の化粧用ブラシ。
【発明の詳細な説明】
【技術分野】
【０００１】
本発明は、化粧料を顔等の皮膚に塗布するための化粧用ブラシに関する。
【背景技術】
【０００２】
近年、プロのメイクアップアーティストが行うような化粧に対して関心が集まりつつあり、メイクアップアーティストが行ったのと同等な化粧の仕上がりを簡単に得たいというニーズが高まっている。そのため、メイクアップアーティストが使用している化粧用ブラシを一般の者が購入するということも少なくはない。しかし、化粧に関してはノウハウ的な要素が強いため、同じ化粧用ブラシを用いても専門家であるメイクアップアーティストのようには上手くできないのが現状である。そのため、メイクアップアーティストの行う化粧法に少しでも近づくために種々の化粧用ブラシが提案されており、本出願人も既に下記特許文献１のような化粧用ブラシを提案済みである。該化粧用ブラシは、ブラシ部の先端面を凹状に形成することにより、その先端面に化粧料を略均一に移行させて肌に略均一に化粧料を塗布させることができ、皺や毛穴等のような皮膚の微小凹凸が強調されることを低減させることができるというものである。かかる化粧用ブラシは、プロのメイクアップアーティストの域に近づくためのものとして優れたものであるが、より一層プロの域に達するものが要望されている。【０００３】
一方、プロの手法の１つとして、立体感を出すというものがある。即ち、顔の骨格形状に由来する凹凸形状、例えば、顔の中心部分である頬骨のあたりは一般的に周囲に比して突出している凸部となっているが、このような凹凸形状に対応せずに顔全体に均一にファンデーションを塗布すると、立体感が出ずにあたかも「能面」のような平面的な表情に仕上がることが多い。従って、顔の中心部分である頬骨のあたりにはしっかりと濃く塗布して、そこから周辺の顔の輪郭にいくにつれて徐々に薄くぼかすように塗布していくことが理想的であるが、プロではない一般の者にとっては、このように顔部分の凹凸に合わせて立体感を出す化粧を行うことは必ずしも容易なものではない。
【先行技術文献】
【特許文献】
【０００４】
【特許文献１】特開２０１３−８５８１７号公報
【発明の概要】
【発明が解決しようとする課題】
【０００５】
それゆえに本発明は上記従来の問題点に鑑みてなされ、立体感のある化粧を容易に行うことができる化粧用ブラシを提供することを課題とする。
【課題を解決するための手段】
【０００６】
本発明は、上記課題を解決すべくなされたものであって、本発明に係る化粧用ブラシは、粉体化粧料を塗布するための化粧用ブラシであって、ブラシ部の先端面には、毛の密度が高い中心塗布面部と、該中心塗布面部の外側に周設されて中心塗布面部よりも毛の密度が低い周縁塗布面部とが設けられていることを特徴とする。尚、毛の密度は単位面積あたりの本数による。【０００７】
該構成の化粧用ブラシにあっては、ブラシ部の先端面が均一な毛の密度構成ではなく、中心部分に毛の密度が高い密領域である中心塗布面部が形成され、その外側には毛の密度が低い疎領域である周縁塗布面部が形成されている。例えば、顔に粉末化粧料としてのファンデーションを塗布して化粧する場合について説明すると、ファンデーションをブラシ部の先端面に付ける際、毛の密度が高い中心塗布面部には多く付き、毛の密度が低い周縁塗布面部には少なく付くことになる。そして、そのように中心塗布面部に多くのファンデーションが付着した化粧用ブラシを持ってブラシ部の先端面を顔に当てて化粧すると、中心塗布面部が当たる箇所には濃く付けることができ、その周辺の箇所には周縁塗布面部によってファンデーションを薄く広げて付けることができる。従って、まず顔の中心部分である頬骨の箇所に中心塗布面部を当て、そこから顔の周辺部分に向けて滑らせるようにしながら塗布したり、あるいは、小さな円を描きつつ顔の周辺部分に向けて塗布したりすると、顔の中心部分である頬骨の箇所にはファンデーションをしっかりと付けることができ、そこから顔の周辺部分に向けてぼかしながら薄く付けていくことができる。また、顔の中心部分である頬骨の箇所に中心塗布面部を当てて、小さな円から徐々に大きな円になるようにくるくると円を描くようにしながら塗布していくと、頬骨の箇所にはしっかりとファンデーションを濃く付けることができ、頬骨から外側に向けて自然と薄くぼかしながら付けていくことができる。【０００８】
特に、ブラシ部は、長さが異なる複数の毛を混合した混毛体からなる外側ブラシ部を備え、該外側ブラシ部の先端面から前記周縁塗布面部が構成されていることが好ましい。該構成によれば、最も長い毛の先端から周縁塗布面部が構成されるので外側ブラシ部の先端面における毛の密度が低くなる。即ち、毛の長さの違いによって疎領域である周縁塗布面部を容易に形成することができる。外側ブラシ部を構成する毛の本数を少なくしてその先端面の毛の密度を低くすることも可能ではあるが、製造が複雑になったり、太い毛を使用することになってコシが強くなり過ぎたりする。これに対して長さが異なる複数の毛を混合した混毛体から外側ブラシ部を構成すると、外側ブラシ部を構成する毛の本数を過度に少なくすることなくその先端部の本数のみを減少させることができ、先端面における毛の密度を容易に低くすることができる。また、最も長い毛の先端が優先的に皮膚に当たるので周縁塗布面部において柔らかな肌触りも容易に得られる。しかも、相対的に短い毛がそれよりも長い毛を支えてその長い毛の極度の曲がりを抑制することにもなり、柔らかな肌触りを確保しつつも、適度にコシのある外側ブラシ部を形成することができる。【０００９】
更に、外側ブラシ部は、長さが異なる二種類の毛を混合した混毛体からなることが好ましい。外側ブラシ部を長さが三種類以上に異なる混毛体から構成することもできるが、長い毛と短い毛の二種類の混毛体から構成することにより、製造が容易になるうえに、外側ブラシ部における柔らかい肌触りと適度なコシのバランスを種々コントロールすることも容易になる。【００１０】
その場合、特に外側ブラシ部における長い毛の混合比率が５０％以下であることが好ましく、外側ブラシ部において柔らかい肌触りを確保しつつ適度なコシを持たせることができる。尚、特に、外側ブラシ部における長い毛の混合比率が５〜１５％であるとより好ましい。【００１１】
また、外側ブラシ部における長い毛と短い毛の長さの違いが２ｍｍ〜１０ｍｍであることが好ましい。長い毛と短い毛の長さの違いが２ｍｍ未満であると、周縁塗布面部における低い密度の効果が得られにくくなって、中心塗布面部に付着するファンデーション等の粉末化粧料の量と周縁塗布面部に付着するファンデーション等の粉末化粧料の量との間に差が出にくくなる。逆に長さの違いが１０ｍｍを越えると短い毛が長い毛を支える効果が薄れて長い毛の先端におけるコシが弱くなり過ぎて、中心塗布面部によって皮膚に付着されたファンデーション等の粉末化粧料を周縁塗布面部が薄く広げながらぼかしていくという拡散効果が薄れる。【００１２】
また、ブラシ部は、前記外側ブラシ部と毛の長さが揃えられた内側ブラシ部とからなる内外二層構造であり、内側ブラシ部の先端面から前記中心塗布面部が構成されていることが好ましい。内側ブラシ部の毛の長さを揃えることにより、中心塗布面部において毛の密度が高いということと相まって、中心塗布面部に多くの化粧料を容易に付けることができる。【００１３】
また、周縁塗布面部の毛の密度が中心塗布面部の毛の密度に対して０．５以下であることが好ましい。即ち、中心塗布面部の毛の密度を１とした場合において周縁塗布面部の毛の密度が０．５以下であると、中心塗布面部と周縁塗布面部との疎密によって立体感のある自然な化粧をより一層容易に行うことができる。尚、周縁塗布面部の毛の密度が０．１以下であると更に好ましい。
【発明の効果】
【００１４】
以上のように、本発明においては、ブラシ部の先端面に密領域である中心塗布面部と疎領域である周縁塗布面部とを備えているので、顔の凹凸形状に合わせて中心部分等の凸部には濃く、周辺部分等の凹部には薄く塗布することができるので、立体感のある化粧を容易に行うことができる。
【図面の簡単な説明】
【００１５】
【図１】本発明の一実施形態における化粧用ブラシを示す正面図。
【図２】（ａ）は同化粧用ブラシの平面図、（ｂ）は同化粧用ブラシの要部断面図。
【図３】同化粧用ブラシの要部を示す概念図。
【図４】（ａ）及び（ｂ）は同化粧用ブラシの製造工程を示す正面図。
【図５】同化粧用ブラシの使用状態を示すための顔の正面図。
【図６】本発明の他の実施形態における化粧用ブラシの要部を示す正面図。
【図７】（ａ）及び（ｂ）は本発明の他の実施形態における化粧用ブラシの要部を示す正面図。
【図８】（ａ）及び（ｂ）は本発明の他の実施形態における化粧用ブラシの要部を示す正面図。
【発明を実施するための形態】
【００１６】
以下、本発明の一実施形態に係る化粧用ブラシについて図１〜図５を参酌しつつ説明する。図１に示すように、本実施形態の化粧用ブラシは、粉末化粧料を顔に塗布するためのものであり、粉末化粧料としては、プレストパウダーやルースパウダー等のファンデーション、チーク等が挙げられる。かかる化粧用ブラシは、柄部１と、柄部１の先端部に装着されたブラシ部２とを備えている。
【００１７】
柄部１の長さや形状は任意であるが、例えば、ブラシ部２とは反対側の基端部からブラシ部２側の先端部にかけて徐々に拡径していく円錐台状とされ、全長が５ｃｍ〜１５ｃｍ程度のものである。柄部１は、例えば、基端側の第一柄部１１と先端側の第二柄部１２とから構成される。第一柄部１１は例えば円柱状であって、その材質は例えば合成樹脂である。第二柄部１２は第一柄部１１の先端部に取り付けられていて例えば円筒状であって、その材質は金属や合成樹脂である。このように本実施形態では柄部１が二つの部材から構成されているが一つの部材から構成されていてもよく、何れにしても、少なくとも先端部が円筒状であってその内側にブラシ部２を装着できる構造とされることが好ましい。
【００１８】
ブラシ部２は、柄部１の先端部（即ち第二柄部１２の先端開口部）の内側に接着剤等によって取り付け固定されている。ブラシ部２は、本実施形態では断面円形であり、即ち、円柱状あるいは基端部から先端部にかけて徐々に拡径する円錐台状である。ブラシ部２の基端部が柄部１の先端部の内周面に固定されていて、従って、ブラシ部２は基端固定先端自由の状態にある。毛の長さは例えば４０ｍｍ〜８０ｍｍであって、柄部１から露出している長さは例えば２０ｍｍ〜７０ｍｍである。また、ブラシ部２の先端面２ａが粉末化粧料を塗布するための塗布面であり、本実施形態では、ブラシ部２の先端面２ａは平坦面となっている。該ブラシ部２の先端面２ａは、内外二つの領域に区画されており、内側領域を構成し、毛の密度が高い中心塗布面部２０と、該中心塗布面部２０の外側に環状に周設されて外側領域を構成し、中心塗布面部２０よりも毛の密度が低い周縁塗布面部２１とからなる。尚、図２（ａ）に示しているように、中心塗布面部２０の直径Ａは例えば１５ｍｍ〜３０ｍｍであり、周縁塗布面部２１の幅Ｂ（径方向の寸法）は例えば５ｍｍ〜１０ｍｍであり、少なくとも中心塗布面部２０の直径Ａを周縁塗布面部２１の幅Ｂよりも大きくすることが好ましい。
【００１９】
また、周縁塗布面部２１の毛の密度は、中心塗布面部２０の毛の密度に対して０．５以下であることが好ましい。即ち、中心塗布面部２０の毛の密度を１とした場合において周縁塗布面部２１の毛の密度が０．５以下であることが好ましく、特に中心塗布面部２０の毛の密度に対して周縁塗布面部２１の毛の密度が０．１以下であるとより好ましい。毛の密度の一例を挙げると、例えば、中心塗布面部２０においては７００本／２８ｍｍ２であり、周縁塗布面部２１においては５０本／２８ｍｍ２である。
【００２０】
ブラシ部２の具体的構成について説明すると、図２（ｂ）に示しているようにブラシ部２は内外二つの層からなる二層構造となっている。即ち、ブラシ部２は、内層を構成する内側ブラシ部２２と外層を構成する外側ブラシ部２３とから構成される。内側ブラシ部２２は、円柱状あるいは円錐台状であってブラシ部２の中心部分を構成し、毛の長さは揃えられている。内側ブラシ部２２の先端面は、図２（ａ）のように円形状であってブラシ部２の先端面２ａのうち中心部分である中心塗布面部２０を構成している。内側ブラシ部２２は単一の毛から構成されており、具体的には、獣毛が使用されている。ここで、獣毛としては、馬毛、イタチ毛、リス毛、ヤギ毛、豚毛等がある。
【００２１】
また、外側ブラシ部２３は、内側ブラシ部２２の外側を包囲するように筒状に形成されている。外側ブラシ部２３と内側ブラシ部２２は略同心円状にあり、外側ブラシ部２３の環状の先端面から周縁塗布面部２１が構成されている。外側ブラシ部２３は、長さが異なる複数の毛を混合した混毛体からなる。具体的には外側ブラシ部２３は、図３に示しているように長い毛３０と短い毛３１の二種類の毛を混合した混毛体から構成されている。長い毛３０と短い毛３１の長さの違いＤは２ｍｍ〜１０ｍｍとすることが好ましい。この長さの違いＤによって外側ブラシ部２３の先端部には段差が生じており、長い毛３０のみによって周縁塗布面部２１が構成されて周縁塗布面部２１の毛の密度が低くなっている。長い毛３０と短い毛３１の長さの違いＤが２ｍｍ未満であると、周縁塗布面部２１における低い密度の効果が得られにくくなり、逆に長さの違いＤが１０ｍｍを越えると、短い毛３１が長い毛３０を支える効果が薄れて長い毛３０の先端におけるコシが弱くなり過ぎる。従って、長い毛３０と短い毛３１の長さの違いＤは２ｍｍ〜１０ｍｍとすることが好ましい。
【００２２】
また、混毛体における長い毛３０の混合比率は５０％以下であることが好ましい。即ち、少なくとも長い毛３０の比率を短い毛３１と同程度かそれよりも少なくしておくことが好ましく、外側ブラシ部２３における柔らかい肌触りを確保しつつ適度なコシを持たせることができる。特に、長い毛３０の混合比率を５〜１５％とするとより好ましい。
【００２３】
本実施形態において長い毛３０は合成繊維であり、短い毛３１は獣毛である。合成繊維としては、ポリアミド繊維、ポリオレフィン繊維、ポリアクリロニトリル繊維、ポリエステル繊維等があり、特に、適度の剛性と耐久性を有するとともに、撚り加工や先細加工等の後加工性に優れていることから、ポリエステル繊維が好ましい。また、ポリエステル繊維としては、ポリエチレンテレフタレート（ＰＥＴ）、ポリブチレンテレフタレート（ＰＢＴ）、ポリトリメチレンテレフタレート（ＰＴＴ）等があり、特に、適度な柔軟性と弾性とを備えていることから、ポリブチレンテレフタレート（ＰＢＴ）やポリトリメチレンテレフタレート（ＰＴＴ）が好ましく、中でも特に、ポリトリメチレンテレフタレート（ＰＴＴ）は、その分子構造によって優れた柔軟性と変形回復特性を備えているため好ましい。合成繊維からなる毛の一本の太さは、０．０２ｍｍ〜０．２ｍｍ程度であり、加工性や肌触り性、化粧料の捕集性の点から０．０５ｍｍ〜０．１５ｍｍ程度が特に好ましい。
【００２４】
更に、合成繊維を使用する場合には、図３のように先端部所定長さ領域を先細りのテーパ状に形成することが好ましい。合成繊維の先端部をテーパ化するには、例えば合成繊維を溶解又は分解する処理液に上下逆向きにした合成繊維の先端部を上方から浸ける方法が好ましい。処理液としては、例えば水酸化ナトリウム水溶液が挙げられる。尚、テーパ状とされた先細り部３２の長さＬは例えば２０ｍｍ〜３０ｍｍであり、少なくとも長い毛３０と短い毛３１との長さの違いＤよりも長くすることが好ましい。
【００２５】
また、獣毛は上述のものと同様のものを使用することができ、本実施形態では内側ブラシ部２２と外側ブラシ部２３の短い毛３１とを同一の獣毛から構成している。
【００２６】
以上のような構成の化粧用ブラシは例えば以下のようにして製造することができる。まず、図４（ａ）に示しているように毛を上面開口の有底筒状の壺（図示省略）に入れて円柱状にまとめ、その基端部を糸等で固定して内側ブラシ部２２を形成する。一方、図４（ｂ）に示すように、長い毛３０と短い毛３１を所定の混合比率で混合して、毛の基端部を揃えるようにしながら平面状に並べておく。そして、平面状の混毛体の上に内側ブラシ部２２を載せ、内側ブラシ部２２をその中心線まわりに回転させるようにして転がしながらその周囲に混毛体を巻き付けていって内側ブラシ部２２の外側に外側ブラシ部２３を形成し、それを上述と同様に壺に入れて全体を整えた後、形成したブラシ部２の基端部を接着剤等で固め、ブラシ部２の基端部を柄部１に取り付ける。
【００２７】
このようにして製造された化粧用ブラシにあっては、ブラシ部２の先端面２ａが従来のように均一な毛の密度に構成されているのではなく、中心部分に毛の密度が高い密領域である中心塗布面部２０が形成され、その外側には毛の密度が低い疎領域である周縁塗布面部２１が環状に形成されているので立体感のある化粧を容易に行うことができる。例えば化粧料容器に入ったファンデーションをブラシ部２の先端面２ａに付ける際、中心塗布面部２０には多めに移行し、周縁塗布面部２１には少なめに移行することになる。そして、中心塗布面部２０に多くのファンデーションが付着した化粧用ブラシを持ってブラシ部２の先端面２ａを顔に当てて化粧すると、中心塗布面部２０が当たる箇所には濃く付けることができ、その周辺の箇所には周縁塗布面部２１によってファンデーションを薄く広げて付けることができる。
【００２８】
例えば、図５に二本線の矢印Ｅで示しているように、まず顔の中心部分である頬骨の箇所や眉間やや上部の箇所に中心塗布面部２０を当て、そこから顔の周辺部分に向けて滑らせるようにしながら塗布すると、相対的に前方に突出した凸部である顔の中心部分にはファンデーションをしっかりと付けることができ、相対的に後方に凹んだ凹部である顔の周辺部分に向けては徐々にファンデーションを広げてぼかしながら薄く付けていくことができる。尚、その場合、小さな円を描くようにしながら化粧用ブラシを徐々に顔の周辺部分に移動させるようにしてもよい。
【００２９】
また、図５に一本線の矢印Ｆで示しているように、顔の中心部分である頬骨の箇所に中心塗布面部２０を当てて、初めは小さな円を描くように、その後は徐々にその円が大きくなるようにしながら、化粧用ブラシをくるくると回転させて塗布してもよく、頬骨の箇所にはしっかりとファンデーションを濃く付けることができ、頬骨から外側に向けては自然と薄くぼかしながら付けていくことができる。
【００３０】
また、外側ブラシ部２３が長い毛３０と短い毛３１の混毛体から構成されているので、疎領域である周縁塗布面部２１を毛の長さの違いＤによって容易に形成することができる。そして、長い毛３０の先端が優先的に皮膚に当たるので周縁塗布面部２１において柔らかな肌触りも容易に得られ、また、相対的に短い毛３１が長い毛３０を支えることになるので、長い毛３０の極度の曲がりを抑制することができる。このように外側ブラシ部２３を長い毛３０と短い毛３１の混毛体から構成することにより、柔らかな肌触りを確保しつつも、適度にコシのある外側ブラシ部２３を容易に形成することができる。
【００３１】
尚、本実施形態では内側ブラシ部２２と外側ブラシ部２３の短い毛３１に同じ獣毛を使用したが、異なる獣毛としてもよく、また、一方を獣毛とし他方を合成繊維としてもよい。また、外側ブラシ部２３において、長い毛３０を合成繊維とし短い毛３１を獣毛としたがこれを逆としてもよく、長い毛３０と短い毛３１を共に獣毛としたり合成繊維としたりしてもよい。また、内側ブラシ部２２を単一の毛から構成したがこれを混毛体としてもよい。更に、ブラシ部２を構成する毛を全て獣毛としたり、逆に全て合成繊維としたりしてもよい。例えば、内側ブラシ部２２と外側ブラシ部２３の短い毛３１をＰＢＴとし、外側ブラシ部２３の長い毛３０をＰＴＴとしてもよいし、ブラシ部２の全ての毛をＰＢＴとしてもよい。また更に、外側ブラシ部２３を二種類の毛の混毛体としたが三種類以上の毛からなる混毛体としてもよい。また、内側ブラシ部２２についても長い毛３０と短い毛３１の混毛体から構成してもよく、その場合には、内側ブラシ部２２における長い毛３０の構成比率を外側ブラシ部２３のそれよりも高くすることによって、中心塗布面部２０の毛の密度を周縁塗布面部２１の毛の密度よりも高くする。尚、外側ブラシ部２３と共に内側ブラシ部２２についても長さの異なる複数の毛の混毛体とする場合には、毛の長さの違いＤを、内側ブラシ部２２については相対的に小さく、外側ブラシ部２３については相対的に大きくすることが好ましい。
【００３２】
また、外側ブラシ部２３を長さの異なる複数の毛の混毛体から構成することによって周縁塗布面部２１の毛の密度を低くしたが、毛の長さの違いＤを利用するのではなく、外側ブラシ部２３を構成する毛の本数自体を内側ブラシ部２２のそれよりも少なくすることによって周縁塗布面部２１の毛の密度を低くしてもよい。即ち、内側ブラシ部２２には細い毛を使用して単位面積あたりの本数を多くし、外側ブラシ部２３には太い毛を使用して単位面積あたりの本数を少なくすることにより、ブラシ部２の先端面２ａにおける毛の密度を内側密、外側疎にしてもよい。無論、毛の長さの違いＤを利用しつつ太さの違う毛を利用することによって疎密にしてもよい。
【００３３】
更に、ブラシ部２の先端面２ａを図１のように平坦面とするのではなく図６のように中心部分が盛り上がった凸面状にしてもよい。尚、ブラシ部２の先端面２ａの全体を凸面状にしてもよいし、中心塗布面部２０のみを凸面状にしてもよい。このようにブラシ部２の先端面２ａの全体を凸面状にしたり、中心塗布面部２０のみを凸面状にしたりすると、中心塗布面部２０に化粧料を多めに付着させることが容易になる。
【００３４】
また更に、中心塗布面部２０が周縁塗布面部２１と略面一である場合に限られず、中心塗布面部２０が周縁塗布面部２１よりも突出した構成であってもよい。例えば、図７のように、ブラシ部２の周縁塗布面部２１が平坦面である場合において、その周縁塗布面部２１に対して中心塗布面部２０を前側に所定長さ突出させてもよい。このように中心塗布面部２０を周縁塗布面部２１よりも前側に突出させる場合、中心塗布面部２０は、図７（ａ）のように突出量が略一定の平坦面であってもよいし、図７（ｂ）のように中心部分の突出量が周縁部分よりも大きい凸面であってもよい。図８のようにブラシ部２の周縁塗布面部２１が凸面である場合も同様である。図８（ａ）及び図８（ｂ）の何れの場合も、中心塗布面部２０が凸面である場合を例示している。図８（ａ）のように周縁塗布面部２１に対する突出量が略一定となるように中心塗布面部２０が突出していてもよいし、図８（ｂ）のように中心部分の突出量が周縁部分に比して大きくなるように中心塗布面部２０が突出していてもよい。何れにしても、中心塗布面部２０が周縁塗布面部２１よりも突出した構成にすると、中心塗布面部２０に化粧料がより一層付着しやすくなり、化粧料が多めに付着した中心塗布面部２０によって化粧料を特定箇所に容易に濃く塗布することができるという利点がある。
【００３５】
また、ブラシ部２の先端面２ａが円形状である場合について説明したが、楕円形状であったり、細長い長円形状であったりしてもよく、ブラシ部２の先端面２ａの形状や断面形状についても種々変更可能である。
【符号の説明】
【００３６】
１    柄部
２    ブラシ部
２ａ  先端面
１１    第一柄部
１２    第二柄部
２０    中心塗布面部
２１    周縁塗布面部
２２    内側ブラシ部
２３    外側ブラシ部
３０    長い毛
３１    短い毛
３２    先細り部
【図１】
2015025873.tif 000003
【図２】
2015025873.tif 000004
【図３】
2015025873.tif 000005
【図４】
2015025873.tif 000006
【図５】
2015025873.tif 000007
【図６】
2015025873.tif 000008
【図７】
2015025873.tif 000009
【図８】
2015025873.tif 000010
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
粉体化粧料を塗布するための化粧用ブラシであって、  ブラシ部の先端面には、毛の密度が高い中心塗布面部と、該中心塗布面部の外側に周設されて中心塗布面部よりも毛の密度が低い環状の塗布面である周縁塗布面部とが設けられていることを特徴とする化粧用ブラシ。
【請求項２】
ブラシ部の先端面の全体が平坦面又は凸面である請求項１記載の化粧用ブラシ。
【請求項３】
中心塗布面部が周縁塗布面部よりも突出している請求項１記載の化粧用ブラシ。
【請求項４】
ブラシ部は、長さが異なる複数の毛を混合した混毛体からなる外側ブラシ部を備え、該外側ブラシ部の先端面から前記周縁塗布面部が構成されている請求項１乃至３の何れかに記載の化粧用ブラシ。
【請求項５】
外側ブラシ部は、長さが異なる二種類の毛を混合した混毛体からなる請求項４記載の化粧用ブラシ。
【請求項６】
外側ブラシ部における長い毛の混合比率が５０％以下である請求項５記載の化粧用ブラシ。
【請求項７】
外側ブラシ部における長い毛と短い毛の長さの違いが２ｍｍ〜１０ｍｍである請求項５又は６記載の化粧用ブラシ。
【請求項８】
ブラシ部は、前記外側ブラシ部と毛の長さが揃えられた内側ブラシ部とからなる内外二層構造であり、内側ブラシ部の先端面から前記中心塗布面部が構成されている請求項４乃至７の何れかに記載の化粧用ブラシ。
【請求項９】
周縁塗布面部の毛の密度は中心塗布面部の毛の密度に対して０．５以下である請求項１記載の化粧用ブラシ。
【手続補正２】
【補正対象書類名】明細書
【補正対象項目名】０００６
【補正方法】変更
【補正の内容】
【０００６】  本発明は、上記課題を解決すべくなされたものであって、本発明に係る化粧用ブラシは、粉体化粧料を塗布するための化粧用ブラシであって、ブラシ部の先端面には、毛の密度が高い中心塗布面部と、該中心塗布面部の外側に周設されて中心塗布面部よりも毛の密度が低い環状の塗布面である周縁塗布面部とが設けられていることを特徴とする。尚、毛の密度は単位面積あたりの本数による。
【国際調査報告】
2015025873.tif 000011
2015025873.tif 000012